(57)【要約】【課題】主に各種電子機器の操作に用いられるスイッチ装置及びこれを用いたリモコン送信機に関し、簡易な構成で上下操作体の照光が可能な、安価なものを提供することを目的とする。【解決手段】ケース１内に上下動可能に収納された下操作体１２を下方から照光する発光体１０を設けると共に、この下操作体１２及び、ケース１上面に移動可能に装着された扉体４内の上操作体１５に、導光手段を形成することによって、下操作体１２を照光する発光体１０の光が上操作体１５をも照光するため、扉体４内には発光体１０等を設ける必要がなく、リード線等による接続も不要となって、簡易な構成で上下操作体の照光が可能な、安価なスイッチ装置、及びこれを用いたリモコン送信機を得ることができる。【選択図】図１
2006210094.tif 000002
【特許請求の範囲】
【請求項１】
上面に開口孔が形成されたケースと、このケースの開口孔から上面が突出した上下動可能な下操作体と、この下操作体の上下動によって電気的接離を行うスイッチ接点と、上記ケース上面に移動または開閉可能に装着された扉体と、この扉体内に上下動可能に収納され、下面に上記下操作体上面を押圧する押圧部が形成された上操作体からなり、上記下操作体を下方から照光する発光体を設けると共に、上記下操作体及び上操作体に導光手段を形成したスイッチ装置。
【請求項２】
請求項１記載のスイッチ装置と、このスイッチ接点に接続された制御手段からなり、上記制御手段が上記スイッチ接点の電気的接離に応じて、送信手段からリモコン信号を送信するリモコン送信機。
【請求項３】
扉体の移動または開閉を検出する検知手段を設け、扉体の移動または開閉に応じて制御手段が発光体の発光を制御する請求項２記載のリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化が進むなか、これらを操作するスイッチ装置やリモコン送信機においても、扉体等の移動または開閉によって操作機能を増やし、多様な操作を可能にしたものが増えている。
【０００３】
このような従来のスイッチ装置及びこれを用いたリモコン送信機について、図３を用いて説明する。
【０００４】
図３は従来のリモコン送信機の断面図であり、同図において、１は絶縁樹脂製で略箱状のケース、２はゴム等の下操作体で、ケース１上面には複数の開口孔１Ａが形成され、この開口孔１Ａから下操作体２上面が突出すると共に、複数の下操作体２は下方に設けられた略ドーム状の薄肉部によって、上下動可能に連結形成されている。
【０００５】
そして、３は上下面に複数の配線パターン（図示せず）が形成された配線基板で、この上面に連結された複数の下操作体２が載置されると共に、配線基板３上面には、各下操作体２下面に形成されたカーボン等の可動接点（図示せず）と、所定の間隙を空けて対向する複数の固定接点（図示せず）が設けられて、複数のスイッチ接点が形成されている。
【０００６】
また、４は絶縁樹脂製の扉体、５はゴム等の上操作体で、扉体４がケース１上面に左右方向へ移動可能に装着されると共に、複数の上操作体５は、下方に設けられた略ドーム状の薄肉部によって、上下動可能に連結形成されている。
【０００７】
さらに、扉体４上面の開口孔４Ａから上操作体５上面が突出すると共に、扉体４底面には複数の貫通孔４Ｂが設けられ、上操作体５下面に形成された突状の押圧部６が、この貫通孔４Ｂから下方の下操作体２方向へ突出して、スイッチ装置が構成されている。
【０００８】
なお、扉体４に収納された複数の上操作体５は、電子機器の電源の入／切、或いは音量や選局等の通常頻繁に使用されるものに用いられ、これに対し、ケース１内の複数の下操作体２は、テレビとビデオのモード切換えや時刻設定等の比較的使用頻度の少ないものに用いられる。
【０００９】
そして、配線基板３上下面には、発光ダイオード等の電子部品によってリモコン信号を送信する送信手段７や、配線パターンを介して固定接点等に接続された、マイコン等の制御手段８が形成されると共に、扉体４が左または右方向のいずれに移動しているかを、制御手段８が検出するようにしてリモコン送信機が構成されている。
【００１０】
以上の構成において、ケース１上面の開口孔１Ａから突出した下操作体２Ａを押圧操作すると、略ドーム状の薄肉部が弾性変形して下操作体２Ａが下方へ移動し、この下面の可動接点が固定接点と接触してスイッチ接点の電気的接離が行われる。
【００１１】
そして、この下操作体２Ａ下面の固定接点の電気的接離に応じて、制御手段８が送信手段７から赤外線のリモコン信号を電子機器へ送信し、例えば、テレビとビデオのモード切換え等が遠隔操作によって行われる。
【００１２】
また、扉体４を右方向へ移動させて、ケース１上面から突出した下操作体２Ｂを押圧操作すると、同様に、下操作体２Ｂ下面の固定接点の電気的接離が行われ、例えば、ビデオの録画時刻の設定等が行われる。
【００１３】
これに対し、扉体４を左方向へ移動させた状態で、扉体４上面の開口孔４Ａから突出した上操作体５Ａを押圧操作すると、略ドーム状の薄肉部が弾性変形して上操作体５Ａが下方へ移動し、この下面の貫通孔４Ｂから突出した押圧部６が下操作体２Ｂを押圧して、上記と同様に、下操作体２Ｂ下面の固定接点の電気的接離が行われる。
【００１４】
但し、この時、扉体４が左方向に移動していることを制御手段８が検出し、送信手段７からは上記とは異なる、例えば、機器の電源の入／切のリモコン信号を送信する。
【００１５】
つまり、複数の下操作体２Ａや２Ｂの操作に加え、扉体４を左または右方向に移動させ、これを制御手段８が検出して、複数の上操作体５によって下操作体２とは異なる操作を行うことで、遠隔操作機能を増やし、より多くの操作が可能なように構成されているものであった。
【００１６】
また、以上のようなリモコン送信機を、自動車内等、周囲が暗い場所で使用する場合には、下操作体２や上操作体５の位置を判り易くするため、配線基板３上や扉体４内に発光ダイオード等の発光体を設け、これによって下操作体２や上操作体５を下方から照光し、操作が容易に行えるようにしたものもある。
【００１７】
なお、この出願の発明に関連する先行技術文献情報としては、例えば、特許文献１が知られている。
【特許文献１】特開平１１−２１３８０３号公報
【発明の開示】
【発明が解決しようとする課題】
【００１８】
しかしながら、上記従来のスイッチ装置及びこれを用いたリモコン送信機においては、自動車内等、周囲が暗い場所で使用する際に、配線基板３上や扉体４内に発光ダイオード等の発光体を設け、下操作体２や上操作体５の照光を行う場合、配線基板３上の発光体は配線基板３上下面の配線パターンによって電気的接続が容易であるが、扉体４内の発光体はリード線等によって配線基板３へ接続し、これに電源を供給する必要があるため、構成が複雑となり、組立ても行いづらくなるという課題があった。
【００１９】
本発明は、このような従来の課題を解決するものであり、簡易な構成で上下操作体の照光が可能なスイッチ装置、及びこれを用いたリモコン送信機を提供することを目的とする。
【課題を解決するための手段】
【００２０】
上記目的を達成するために本発明は、以下の構成を有するものである。
【００２１】
本発明の請求項１に記載の発明は、ケース内に上下動可能に収納された下操作体を下方から照光する発光体を設けると共に、この下操作体及び、ケース上面に移動または開閉可能に装着された扉体内の上操作体に、導光手段を形成してスイッチ装置を構成したものであり、下操作体及び上操作体に設けられた導光手段によって、下操作体を照光する発光体の光が上操作体をも照光するため、扉体内には上操作体を照光する発光体等を設ける必要がなく、リード線等による接続も不要となって、簡易な構成で上下操作体の照光が可能な、安価なスイッチ装置を得ることができるという作用を有する。
【００２２】
請求項２に記載の発明は、請求項１記載のスイッチ装置のスイッチ接点に制御手段を接続し、スイッチ接点の電気的接離に応じて、制御手段が送信手段からリモコン信号を送信するようにしてリモコン送信機を構成したものであり、簡易な構成で上下操作体の照光が可能なリモコン送信機を実現することができるという作用を有する。
【００２３】
請求項３に記載の発明は、請求項２記載の発明において、扉体の移動または開閉を検出する検知手段を設け、扉体の移動または開閉に応じて制御手段が発光体の発光を制御するものであり、扉体の移動または開閉に応じて発光体を消点灯させたり、扉体が移動している方の操作体のみを照光させる等、多様な照光を行うことができるという作用を有する。
【発明の効果】
【００２４】
以上のように本発明によれば、簡易な構成で上下操作体の照光が可能なスイッチ装置、及びこれを用いたリモコン送信機を実現できるという有利な効果が得られる。
【発明を実施するための最良の形態】
【００２５】
以下、本発明の実施の形態について、図１及び図２を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるリモコン送信機の断面図であり、同図において、１はポリスチレンやＡＢＳ等の絶縁樹脂製で略箱状のケース、１２はゴムやエラストマー等の下操作体で、ケース１上面には複数の開口孔１Ａが形成され、この開口孔１Ａから複数の下操作体１２上面が突出している。
【００２８】
そして、この複数の下操作体１２は、下方に設けられた略ドーム状の薄肉部によって上下動可能に連結形成されると共に、全体が乳白色や透明等の光透過性に形成されている。
【００２９】
また、３は紙フェノールやガラス入りエポキシ等の配線基板で、上下面に銅箔等によって複数の配線パターン（図示せず）が形成され、この上面に連結された複数の下操作体１２が載置されると共に、配線基板３上面には、下操作体１２下面に形成されたカーボン等の可動接点（図示せず）と、所定の間隙を空けて対向する複数の固定接点（図示せず）が設けられて、複数のスイッチ接点が形成されている。
【００３０】
また、４は絶縁樹脂製の扉体、１５はゴムやエラストマー等の上操作体で、扉体４がケース１上面に左右方向へ移動可能に装着されると共に、全体が乳白色や透明等の光透過性で複数の上操作体１５は、下方に設けられた略ドーム状の薄肉部によって、上下動可能に連結形成されている。
【００３１】
さらに、扉体４上面の開口孔４Ａから上操作体１５上面が突出すると共に、扉体４底面には複数の貫通孔４Ｂが設けられ、上操作体１５下面に形成された突状の押圧部１６が、この貫通孔４Ｂから下方の下操作体１２方向へ突出している。
【００３２】
そして、１０は発光ダイオード等の発光体で、下操作体１２下面の配線基板３上に実装され、この発光体１０の光が光透過性の下操作体１２を下面から照光すると共に、下操作体１２内を通り、上方の光透過性の上操作体１５を照光するように導光手段が形成されて、スイッチ装置が構成されている。
【００３３】
なお、図２の平面図に示すように、扉体４に収納された複数の上操作体１５や１５Ａは、電子機器の電源の入／切、或いは音量や選局等の通常頻繁に使用されるものに用いられ、これに対し、ケース１内の複数の下操作体１２や１２Ａ，１２Ｂは、テレビとビデオのモード切換えや時刻設定等の比較的使用頻度の少ないものに用いられる。
【００３４】
また、配線基板３上下面には、発光ダイオード等の電子部品によってリモコン信号を送信する送信手段７や、配線パターンを介して固定接点等に接続された、マイコン等の制御手段１８が形成されると共に、ケース１と扉体４の間には検知スイッチ（図示せず）等の検知手段が設けられ、これによって扉体４が左または右方向のいずれに移動しているかを、制御手段１８が検出するようにしてリモコン送信機が構成されている。
【００３５】
以上の構成において、図１や図２（ａ）に示すように、扉体４を左方向へ移動させた状態で、ケース１上面の開口孔１Ａから突出した下操作体１２Ａを押圧操作すると、略ドーム状の薄肉部が弾性変形して下操作体１２Ａが下方へ移動し、この下面の可動接点が固定接点と接触して、スイッチ接点の電気的接離が行われる。
【００３６】
そして、この下操作体１２Ａ下面の固定接点の電気的接離に応じて、制御手段１８が送信手段７から赤外線のリモコン信号を電子機器へ送信し、例えば、テレビとビデオのモード切換え等が遠隔操作によって行われる。
【００３７】
また、図２（ｂ）に示すように、扉体４を右方向へ移動させて下操作体１２や１２Ｂを押圧操作すると、同様に、下操作体１２や１２Ｂ下面の固定接点の電気的接離が行われ、例えば、ビデオの録画時刻の設定等が行われる。
【００３８】
これに対し、図１や図２（ａ）に示すように、扉体４を左方向へ移動させた状態で、扉体４上面の開口孔４Ａから突出した上操作体１５Ａを押圧操作すると、略ドーム状の薄肉部が弾性変形して上操作体１５Ａが下方へ移動し、この下面の貫通孔４Ｂから突出した押圧部１６が下操作体１２Ｂを押圧して、上記と同様に、下操作体１２Ｂ下面の固定接点の電気的接離が行われる。
【００３９】
但し、この時、検知スイッチ等の検知手段によって、扉体４が左方向に移動していることを制御手段１８が検出し、送信手段７からは、上記の下操作体１２Ｂの押圧操作とは異なる、例えば、機器の電源の入／切のリモコン信号が送信される。
【００４０】
つまり、複数の下操作体１２Ａや１２Ｂの操作に加え、扉体４を左または右方向に移動させ、これを制御手段１８が検出して、複数の上操作体１５によって下操作体１２とは異なる操作を行うことで、遠隔操作機能を増やし、より多くの操作が可能なように構成されている。
【００４１】
また、このようなリモコン送信機を、自動車内等、周囲が暗い場所で使用する場合には、別途設けられた切換スイッチ（図示せず）、或いは所定の下操作体１２を操作すると、これによって制御手段１８が、配線基板３上の発光ダイオード等の発光体１０を発光させる。
【００４２】
そして、この発光体１０の光が、乳白色や透明等で光透過性の下操作体１２を下方から照光するため、下操作体１２全体が照光され、ケース１の開口孔１Ａから突出した下操作体１２上面が光り、周囲が暗い場所でも押圧位置の確認が可能で、操作を容易に行うことができる。
【００４３】
さらに、図１や図２（ａ）に示すように、扉体４が左方向へ移動した状態では、下操作体１２や１２Ｂ内を通った光が、押圧部１６を通り上操作体１５や１５Ａ全体を、図２（ｂ）に示すように右方向へ移動した状態では、下操作体１２Ａ内を通った光が上操作体１５Ａ等を各々照光するため、扉体４上面に突出した上操作体１５の位置確認も容易に行うことが可能となっている。
【００４４】
つまり、複数の下操作体１２と上操作体１５を、全体が乳白色や透明等で光透過性の導光手段として形成することによって、発光体１０の光が下方の下操作体１２を下面から照光すると共に、下操作体１２内を通り、上方の上操作体１５をも照光するように構成されている。
【００４５】
従って、扉体４内には上操作体１５を照光するための発光体１０等を設ける必要がなく、リード線等による配線基板３への接続も不要となるため、簡易な構成にすることができると共に、安価にスイッチ装置やリモコン送信機を形成することが可能となる。
【００４６】
さらに、検知スイッチ等の検知手段によって扉体４の移動を制御手段１８が検出し、これに応じて制御手段１８が発光体１０の発光を制御することによって、例えば、扉体４が移動している方の下操作体１２と上操作体１５のみを照光させたり、所定時間、扉体４の移動が行われない、即ち、リモコン送信機が使用されていない場合には、省電力のため発光体１０を消点灯させたりする等、多様な照光を行うこともできる。
【００４７】
このように本実施の形態によれば、ケース１内に上下動可能に収納された下操作体１２を下方から照光する発光体１０を設けると共に、この下操作体１２及び、ケース１上面に移動可能に装着された扉体４内の上操作体１５に、導光手段を形成することによって、下操作体１２を照光する発光体１０の光が上操作体１５をも照光するため、扉体４内には発光体１０等を設ける必要がなく、リード線等による接続も不要となって、簡易な構成で上下操作体の照光が可能な、安価なスイッチ装置、及びこれを用いたリモコン送信機を得ることができるものである。
【００４８】
なお、以上の説明では、扉体４がケース１上面に左右方向へ移動可能に装着された構成について説明したが、ヒンジ装置等によって扉体をケースに装着し、扉を開け閉めする等、ケースに対し扉体を開閉する構成としても、本発明の実施は可能である。
【００４９】
また、複数の下操作体１２と上操作体１５を、全体が乳白色や透明等で光透過性にして導光手段を形成し、操作体全体を照光する構成として説明したが、暗色の塗装や二色成型等によって、下操作体１２や上操作体１５の外周は覆い、内部に設けた導光手段内に光を通し、上面や側面に設けた、文字や記号等の光透過性の表示部のみを照光する構成としてもよい。
【００５０】
さらに、複数の下操作体１２や上操作体１５を連結し、下方の略ドーム状の薄肉部で上下動可能に形成した構成として説明したが、個別の下操作体１２と上操作体１５の組合せでも実施は可能であり、また、スイッチ接点も下操作体１２下面の可動接点と配線基板３上面の固定接点を対向させる構成の他、配線基板３上面の固定接点上に、略ドーム状で導電金属薄板製の可動接点を載置したものや、或いは配線基板３上に、複数の個別のプッシュスイッチを実装したもの等、様々なスイッチ接点を用いてもよい。
【産業上の利用可能性】
【００５１】
本発明によるスイッチ装置及びこれを用いたリモコン送信機は、簡易な構成で上下操作体の照光が可能な、安価なものが得られ、主に各種電子機器の操作用として有用である。
【図面の簡単な説明】
【００５２】
【図１】本発明の一実施の形態によるリモコン送信機の断面図
【図２】同平面図
【図３】従来のリモコン送信機の断面図
【符号の説明】
【００５３】
１  ケース
１Ａ  開口孔
３  配線基板
４  扉体
４Ａ  開口孔
４Ｂ  貫通孔
７  送信手段
１０  発光体
１２，１２Ａ，１２Ｂ  下操作体
１５，１５Ａ  上操作体
１６  押圧部
１８  制御手段
【図１】
2006210094.tif 000003
【図２】
2006210094.tif 000004
【図３】
2006210094.tif 000005